(57)【要約】【課題】高齢者等が歩行する際に使用する歩行補助用杖に関する【解決手段】杖本体１０と握り体２０と複数の支持脚体３１ａ〜３１ｄとを備え、各支持脚体３１ａ〜３１ｄは、加重により伸縮して長さが変更可能であり、前記複数配列の支持脚体の内側に固定脚体３１を設け、前記支持脚体３１ａ〜３１ｄに加重がかからず路面に接したとき、前記固定脚体３１は路面に接しない長さである。【選択図】図１
2014113171.tif 000002
【特許請求の範囲】
【請求項１】
杖本体と、前記杖本体の上端側に取り付けられた握り体と、前記杖本体の下端側に取り付けられた複数の支持脚体とを備えた歩行補助用杖であって、
各支持脚体は、加重により伸縮して長さが変更可能であり、
前記複数配列の支持脚体の内側に固定脚体を設け、
前記支持脚体に加重がかからず路面に接したとき、前記固定脚体は路面に接しない長さであることを特徴とする歩行補助用杖。
【請求項２】
請求項１の歩行補助用杖であって、
固定脚体を杖本体の延長上に設けることを特徴とする歩行補助用杖。
【請求項３】
請求項１または請求項２の歩行補助用杖であって、
支持脚体を３個または４個であることを特徴とする歩行補助用杖。
【請求項４】
請求項１から請求項３のいずれか１項の歩行補助用杖であって、
握り体に照明具を取り付けると共にスイッチを設け、
歩行補助用杖で身体を支えるとき、握っている手の押圧力で前記スイッチを介してランプが点灯することを特徴とする歩行補助用杖。
【請求項５】
請求項１から請求項４のいずれか１項の歩行補助用杖であって、
弾性体を内挿のガイド体と取付体をネジで結合して、支持脚体を取り付けることを特徴とする歩行補助用杖。
【発明の詳細な説明】
【技術分野】
【０００１】
本願発明は、高齢者や足腰に障害のある身体障害者が歩行する際に片手で持って歩行を補助するための歩行補助用杖に関する。
【背景技術】
【０００２】
従来の歩行用補助杖の１つに、特許文献１がある。この公報によると、歩行補助用杖は、棒状の杖本体、杖本体の上端部に湾曲して形成された取付部に固定された握り体及び杖本体の下端部に固定された支持部を備えている。
また、支持部は、４本の支持脚体からなり、各支持脚体は杖本体の下端部から軸方向と直交する方向に放射状に延びて下方に垂設されている。各支持脚体は、ガイド部内にロッド部材が挿着されてその長さが伸縮可能となっており、圧縮バネにより加重に応じて伸縮の程度が調整されるようになっている。そのため杖本体が傾いた場合でも支持脚体が接地した状態に維持される。
【先行技術文献】
【特許文献】
【０００３】
【特許文献１】特開２００９−２３３０４１号公報
【発明の概要】
【発明が解決しようとする課題】
【０００４】
前記公報に開示の歩行用補助杖は、歩行に伴って、杖が傾斜したときであっても、圧縮バネにより加重に応じて伸縮が調整されて円滑に着地して床面に安定した状態で支持される。
しかしながら、凸凹の路面に対しては、伸縮が円滑にならず、手首をひねって痛めることが生ずる。
そこで、本願発明では、かかる課題を解消する歩行用補助杖を提供する。
【課題を解決するための手段】
【０００５】
請求項１の歩行補助用杖は、各支持脚体が加重により伸縮して長さが変更可能であり、前記複数配列の支持脚体の内側に固定脚体が設けてある。そして、前記支持脚体に加重がかからず路面に接したとき、前記固定脚体は路面に接しない長さである杖は、凸凹の路面に対しても安定した状態で支持する。
また、請求項２の歩行補助用杖は、固定脚体を杖本体の延長上に設けることである。
また、請求項３歩行補助用杖は、支持脚体を３個または４個である。
また、請求項４の歩行補助用杖は、握り体に照明具を取り付けると共にスイッチを設け、歩行補助用杖で身体を支えるとき、握っている手の押圧力で前記スイッチを介してランプが点灯する。
また、請求項５の歩行補助用杖は、弾性体を内挿のガイド体と取付体をネジで結合して、支持脚体を取り付けるものである。
【発明の効果】
【０００６】
本願発明の歩行補助用杖は、伸縮可能な複数の支持脚体と、複数配列の支持脚体の内側に固定脚体が設けてあるので、凹凸の路面においても。安定した状態で支持できる。
【図面の簡単な説明】
【０００７】
【図１】歩行補助用杖の斜視図である。
【図２】他の構成の歩行補助用杖の斜視図である。
【発明を実施するための形態】
【０００８】
本発明について図面を参照して説明する。図１は、本発明に係る実施形態に関する全体側面図である。
歩行補助用杖１は、棒状の杖本体１０、杖本体１０の上端部に湾曲して形成された取付部１０ａに固定された握り体２０及び杖本体１０の下端部に固定された平板の支持部３０を備えている。尚、取付部１０ａは必ずしも必要ではなく、杖本体１０に握り体２０を連結した杖でもよい。
【０００９】
杖本体１０は、樹脂材料、金属材料、複合材料等の高強度で軽量な材料を用いて、円柱状または円筒状の細長い棒状に成形されている。握り体２０は、使用者が握りやすく体重をかけても安定して把持することができる形状に形成されており、その把持位置は、使用者の体形に合せて設定されている。そして、握り体２０を把持して体重をかけた場合、体重は杖本体１０の軸方向に沿って加わるように設定されている。
【００１０】
本実施形態に係る歩行補助用杖を使用する場合には、図１の左側が前方側となるように握り体２０を把持して身体の側方に設置して使用するとよい。
支持部３０には、端部が下方に曲折し、その端部に通孔を有し、ネジを形成の取付体（ここでは、ナット）２８が取り付けてある左支持体２９ａと右支持体２９ｂが固定してあり、伸縮自在の支持脚体３１ａ〜３１ｄが取り付けてある。
【００１１】
又、支持部３０には、前記杖本体１０に延長した位置の下側には、堅固な材質の固定脚体３１が垂設してある。なお、この固定脚体３１は、前記した杖本体１０に延長した位置の他、複数配列の支持脚体３１ａ〜３１ｄの内側に設ければよい。
また、前記固定脚体３１は、前記弾性体に加重がかからないときの支持脚体３１ａ〜３１ｄが路面に接地したとき、路面に接しない状態に、即ち、短く形成してある。
【００１２】
次に、前記支持脚体３１ａ〜３１ｄの構成について説明すると、路面に設置する接地体４０は、ゴム等の弾性を有する樹脂材料等で成形されており、所定の厚さの円錐台状である。そして、この接地体４０は、ロッド部材３５に取り付けられている。又、前記取付体２８に接合するガイド体４５は、挿通孔４１を備え、前記取付体２８に形成のネジ２８ａに螺合するネジ４２が形成してある。
【００１３】
前記ロッド体３５には、弾性体（コイルバネ等）４８を挿入し、ガイド体４５に摺動自在に挿着されて、圧縮されるようになり、支持部３０に対して上方向の付勢力を作用させるようになる。尚、前記ロッド体３５の端部には、停止体３５ａが取り付けられていて、前記ガイド体４５からの脱抜を防止している。
前記したように、支持脚体３１ａ〜３１ｄは、荷重により弾性体４８が伸縮し、長さ変動が可能である。又、前記ガイド体４５は、前記取付体２８とネジ２８ａ、４２で結合してあるので、加重対する伸縮量を変更するには、ガイド体４５を取付体２８から取外して、弾性係数を異にする弾性体４８に変更して、再度、取り付ければよいので、容易に変更可能である。
【００１４】
又、前記握り体２０には照明具５０が取り付けてある。この照明具５０は、筒体５０ａ内に、電池５１とランプ（ＬＥＤ）５２及び、上部に押しボタン式スイッチ５３が内挿してある。そして、この筒体５０ａを握り体２０に挿入すると、握り体２０に形成の孔２０ａから前記スイッチ５３が突出し、ランプ５２は握り体２０の端部に位置する。
そして、手で握り体２０を握り、歩行補助用杖で身体を支えるときには、握っている手は、下方向に押圧するので、スイッチ６３が入りランプ５２が点灯する。即ち、歩行補助用杖で、身体を支える毎に、ランプ５２が握り体２０の端部で点灯するので、安全の役割を果たす。  
【００１５】
前記構成の歩行補助用杖は、手で握り体２０を握り、歩行補助用杖で身体を支えと、支持脚体３１ａ〜３１ｄは、その加重により、弾性体が対応する伸縮量により、路面に対応することができる。
例えば、路面が平坦であるときには、後側の支持脚体３１ｂ、３１ｄから接し、後側の支持脚体３１ｂ、３１ｄにはほぼ同じような加重で押えるので、同じ程度に弾性体が縮まり、手首に曲がるような力がかからない。
【００１６】
しかし、路面に凹凸があると、支持脚体３１ａ〜３１ｄは異なった加重によって弾性体が縮まるので、手首に曲がるような力がかかる。しかし、その際、固定脚体３１も路面に接するため、この固定脚体３１を中心にして、周囲の支持脚体３１ａ〜３１ｄが路面の凹凸に対応して縮まる。即ち、本願の歩行補助用杖は、凹凸の路面に対して、固定脚体３１を軸に、周囲の支持脚体３１ａ〜３１ｄの縮みが対応するので、手首を曲げることなく、身体を支持することができる。
【００１７】
次に、図２は、固定脚体３１の周囲に３個の支持脚体３１ａ〜３１ｃが配列で構成の歩行補助用杖であり、前記図１に示す杖とは、その他の点で同じである。即ち、本願の歩行補助用杖は、固定脚体３１の周囲に複数の支持脚体で構成できる。
【符号の説明】
【００１８】
１  歩行補助用杖
１０  杖本体
１０ａ  取付部
２０  握り体
２８  取付体
３０  支持部
３１  支固定脚体
３１ａ〜３１ｄ  持脚体
４５  ガイド体
４８  弾性体
５０  照明具
５２  ランプ
５３  スイッチ
【図１】
2014113171.tif 000003
【図２】
2014113171.tif 000004